(57)【要約】【課題】エレベータの情報表示装置において、自動制御の場合、乗客が内容を理解する前に次の情報に切替えられたり、時間設定が長すぎるとなかなか次の情報を見られないということを解消し、乗客の操作により情報の所望の切り替えが行えるエレベータの情報表示装置を提供する。【解決手段】エレベータかご内に設置される情報表示装置であって、乗客の操作により得られる入力に従って表示情報を前情報又は次情報へ切り替える手段を備えたエレベータの情報表示装置とした。【選択図】　　　　図２
2004106958.tif 000002
【特許請求の範囲】
【請求項１】
エレベータかご内に設置される情報表示装置であって、乗客の操作により得られる入力に従って表示情報を前情報又は次情報へ切り替える手段を備えたエレベータの情報表示装置。
【請求項２】
かごの戸開ボタン、戸閉ボタンを乗客が操作する操作部として割り当て、上記表示情報の切替手段がエレベータ走行中に操作部からの信号に従って切替えを行うことを特徴とする請求項１に記載のエレベータの情報表示装置。
【請求項３】
上記操作部の操作に従った情報の切替え状態を示す情報切替状態表示部をさらに備えたことを特徴とする請求項２に記載のエレベータの情報表示装置。
【発明の詳細な説明】
【０００１】
【発明の属する技術分野】
この発明はエレベータかご内に設置されている情報表示装置に関する。
【０００２】
【従来の技術】
図７は従来のエレベータの情報表示装置のシステム構成を示す図である。図１において、１はかご内に設置されるディスプレイであり、２は情報表示制御装置である。情報出力部３はディスプレイ１に表示する情報を出力するインターフェイスであり、情報選択部４は情報出力部３が出力する情報の選択部であり、情報記憶部５は情報を記憶する記憶部であり、タイマー６は表示する情報の切り替え用タイマーである。
【０００３】
上記のように構成されたエレベータの情報表示装置は、情報記憶部５に記憶されている情報のうち、どの情報をディスプレイ１に表示するかを情報選択部４が選択し、選択された情報を情報出力部３がディスプレイ１に出力し、ディスプレイ１が表示する。また、情報選択部４は、タイマー６によって予め決められた時間がカウントされると、自動的に次の情報を選択し、情報出力部３が次の情報を出力することで、ディスプレイ１は次の情報に表示を切り替える。このような方法で、情報記憶部５に記憶している情報を順番に表示している。（出願人の公知ではない既存の技術であって、対応文献については不明である。）
なお、関連の先行技術文献として、特許文献１がある。
【０００４】
【特許文献１】
特開平９−３４４１７号公報
【０００５】
【発明が解決しようとする課題】
上記のように、従来のエレベータの情報表示装置は、ディスプレイに表示する情報がタイマーにより、自動的に切替えられる。従って一つの情報を表示する時間はタイマー設定値次第であるため、設定が短すぎると乗客が内容を理解する前に次の情報に切り替えられたり、設定が長すぎると、なかなか情報が切り替わらないので、次の情報を見られないという問題があった。
【０００６】
この発明は上記の課題を解消するためになされたもので、乗客の操作により情報の切り替えが行えるエレベータの情報表示装置を提供することを目的とする。
【０００７】
【課題を解決するための手段】
上記の目的に鑑み、この発明は、エレベータかご内に設置される情報表示装置であって、乗客の操作により得られる入力に従って表示情報を前情報又は次情報へ切り替える手段を備えたエレベータの情報表示装置にある。
【０００８】
【発明の実施の形態】
この発明では、かご内操作盤のボタン等の押下によって、情報表示装置の表示内容の切替えを可能とすることで、乗客が見たい情報を選択できるようにする。そこで例えばかご内操作盤の「戸開」、「戸閉」ボタンをそれぞれ次の情報表示ボタン、前の情報表示ボタンに割り当て、ボタンを押すことによって、乗客が見たい情報を好きなだけ見られるようにした。また、戸開閉ボタンを使用しないエレベータ走行中において、これらのエレベータの「戸閉」または「戸開」ボタンが押されたら、表示内容を切り替える構造とした。
【０００９】
実施の形態１．
図１はこの発明の一実施の形態によるエレベータの情報表示装置のシステム構成を示す図である。図において従来のものと同一もしくは相当する部分は同一符号で示し説明を省略する。図１において、４ａはこの発明による情報表示装置における情報選択部、７はかご内操作盤であり、８は戸開ボタンであり、９は戸閉ボタンであり、１０はエレベータ制御装置である。戸開ボタン８または戸閉ボタン９（操作部）が乗客によって押された場合、そのボタン情報信号はエレベータ制御装置１０に取り込まれる。また、図２はこの発明における情報表示制御装置の特に情報選択部の動作フローを示す図、図３の（ａ）（ｂ）は図１のエレベータ制御装置の動作フローを示す図である。
【００１０】
上記のように構成されたエレベータの情報表示装置において、情報表示制御装置２は情報選択部によりディスプレイ１に表示する情報を情報記憶部５から抽出し情報出力部３経由でディスプレイ１に表示し、タイマー６に基づき一定時間経過したら次に表示する情報を抽出する（図２のＳ２１〜Ｓ２４）。
【００１１】
ここで、かご内操作盤７の戸開ボタン８が前回情報表示ボタン、戸閉ボタン９が次回情報表示ボタンに割り当てられ、エレベータ走行中に戸開ボタン８が押された場合、その信号を入力したエレベータ制御装置１０は情報表示制御装置２の情報選択部４ａに前回の情報選択指令を出力し（図３のＳ３１、Ｓ３３、Ｓ３５）、情報選択部４は表示情報として、今表示している情報の１つ前の情報を選択し、情報出力部３が１つ前の情報をディスプレイ１に出力し、ディスプレイ１が表示する（図２のＳ２５〜Ｓ２６、Ｓ２２）。
【００１２】
また、エレベータ走行中に戸開ボタン９が押された場合、その信号を入力したエレベータ制御装置１０は、情報表示制御装置２の情報選択部４ａに次回情報の選択指令を出力し（図３のＳ３１、Ｓ３２、Ｓ２４）、情報選択部４ａは表示情報として、今表示している情報の次の情報を選択し、情報出力部３は次の情報をディスプレイ１に出力し、ディスプレイ１が表示する（図２のＳ２７、Ｓ２４、Ｓ２２）。
【００１３】
上記のように、この発明によれば、通常はタイマーによって、予め決められた時間毎にエレベータのかご内に設置されるディスプレイに表示する情報が切り替わるが、乗客が情報を見ている最中に次の情報に切り替わった場合に、もう一度見たいときには、エレベータ走行中に戸開ボタンを押すことで見ることができ、また、すぐに次の情報が見たい場合は、エレベータ走行中に戸閉ボタンを押すことで見ることができるので、乗客が見たい情報を選択して、好きなだけ見ることができる、という効果がある。
【００１４】
また、エレベータの走行中は本来の機能を使用しない戸開ボタン、戸閉ボタンを乗客の手操作による情報切替え用の操作ボタンに使用しているため、専用のボタン等を新たに設ける必要がない。
【００１５】
実施の形態２．
図４はこの発明の別の実施の形態によるエレベータの情報表示装置のシステム構成を示す図である。図において上記実施の形態のものと同一もしくは相当する部分は同一符号で示し説明を省略する。図４において、１０ａはこの発明による情報表示装置におけるエレベータ制御蔵置、１１は例えば発光ダイオードを使用した前情報ランプであり、１２は同様の次情報ランプである（共に情報切替状態表示部）。また、図５は図４のかご内操作盤の部分拡大図である。情報選択部４ａの動作は図２に示すものと基本的に同様である。図６の（ａ）（ｂ）は図４のエレベータ制御装置の動作フローを示す図である。上記実施の形態の図３の（ａ）（ｂ）と比べてステップＳ３４ａ、Ｓ３５ａが追加されている。
【００１６】
上記のように構成されたエレベータの情報表示装置において、上記実施の形態ではかご内操作盤７の戸開ボタン８が押されたときに前情報をディスプレイ１に表示し、戸閉ボタン９を押されたときに次情報をディスプレイ１に表示するのみであるが、この実施の形態ではエレベータが走行中に戸開ボタン８が押された場合、その信号を入力したエレベータ制御装置１０ａは、情報表示制御装置２の情報選択部４ａに前回の情報選択指令を出力すると共に、前情報ランプ点灯指令を出力し、かご内操作盤７は前情報ランプ１１を数秒間点灯させる（ステップＳ３５ａ）。また、エレベータが走行中に戸閉ボタン９が押された場合、その信号を入力したエレベータ制御装置１０ａは、情報表示制御装置２の情報選択部４ａに次回の情報選択指令を出力すると共に次情報ランプ点灯指令を出力し、かご内操作盤７は次情報ランプ１２を数秒間点灯させる（ステップＳ３４ａ）。
【００１７】
上記のように、この発明によれば、戸開ボタン、戸閉ボタンを押したときに、ランプを点灯させることにより、乗客に当該ボタンが情報切替えボタンを兼ねていることが分かり易くなる、という効果がある。
【００１８】
なお、上記各実施の形態においては、情報表示制御を情報表示制御装置の選択制御部とエレベータ制御装置に分散して行っているが、いずれもマイコン等のコンピュータを含むものであるので、情報表示制御に関する機能を情報表示制御装置の選択制御部とエレベータ制御装置のいずれか一方にまとめ、まとめられた方に他方が必要な信号だけを提供するようにしてもよく、その構成については上記実施の形態に限定されない。
【００１９】
また、乗客の手操作による情報切替え用の操作ボタンは戸開ボタン、戸閉ボタンに限らず、本来の制御に支障を与えないものを使用すればよい。また、専用の情報切替え用の操作ボタン等を設けてもよい。
【００２０】
さらに上記各実施の形態においては、手操作による情報切替え制御は自動情報切替え制御に組み合わせられているが、図３のステップＳ２１、Ｓ２３を省略すれば、手操作による情報切替え制御を独立のものとすることができる。さらに、図３、図６のステップＳ３１を省略すれば、手操作による情報切替え制御がエレベータの走行中に行われるという制約をなくすこともできる。
【００２１】
【発明の効果】
上記のようにこの発明によれば、エレベータかご内に設置される情報表示装置であって、乗客の操作により得られる入力に従って表示情報を前情報又は次情報へ切り替える手段を備えたエレベータの情報表示装置とした。これにより、従来の自動制御の場合のように、乗客が内容を理解する前に次の情報に切替えられたり、時間設定が長すぎるとなかなか次の情報を見られないということが解消され、乗客の操作により情報の所望の切り替えが行えるエレベータの情報表示装置を提供することができる。
【図面の簡単な説明】
【図１】この発明の一実施の形態によるエレベータの情報表示装置のシステム構成を示す図である。
【図２】この発明における情報表示制御装置の特に情報選択部の動作フローを示す図である。
【図３】図１のエレベータ制御装置の動作フローを示す図である。
【図４】この発明の別の実施の形態によるエレベータの情報表示装置のシステム構成を示す図である。
【図５】図４のかご内操作盤の部分拡大図である。
【図６】図４のエレベータ制御装置の動作フローを示す図である。
【図７】従来のエレベータの情報表示装置のシステム構成を示す図である。
【符号の説明】
１　ディスプレイ、２　情報表示制御装置、３　情報出力部、４ａ　情報選択部、５　情報記憶部、６　タイマー、７　かご内操作盤、８　戸開ボタン、９　戸閉ボタン、１０，１０ａ　エレベータ制御装置。
【図１】
2004106958.tif 000003
【図２】
2004106958.tif 000004
【図３】
2004106958.tif 000005
【図４】
2004106958.tif 000006
【図５】
2004106958.tif 000007
【図６】
2004106958.tif 000008
【図７】
2004106958.tif 000009